(57)【要約】【課題】  タッチディスプレイを提供する。【解決手段】  タッチディスプレイはディスプレイパネルとタッチ層とを含む。ディスプレイパネルは複数のピクセル領域を含む。タッチ層はディスプレイパネル上に設置され、複数の導線部分とスリットとを含む。ピクセル領域はピクセルピッチを有し、各導線部分及びその隣接するスリットは所定のピッチを有する。モアレ比が(所定のピッチ /ピクセルピッチ)×１００％として定められる。モアレ比が公式：２５％＋（５０％×Ｎ）−Ａ％≦モアレ比≦２５％＋（５０％×Ｎ）＋Ａ％に従い、Ｎが０または正の整数であり、Ａが０〜２０範囲内の調整値であるとき、タッチディスプレイのモアレ効果は減少する。【選択図】      図３
2015219922.tif 000002
【特許請求の範囲】
【請求項１】
タッチディスプレイであって、
ディスプレイパネルと、
タッチ層とを含み、
前記ディスプレイパネルは、複数のピクセル領域を有し、該ピクセル領域の各々はピクセルピッチを有し、
前記ディスプレイパネルは、
第一基板と、
該第一基板の上に配設される第二基板と、
前記第一基板と前記第二基板との間に配設されるディスプレイ媒体層とを含み、
前記タッチ層は、前記第一基板の上に配設され、前記タッチ層は、複数の送信電極を有し、該送信電極の各々は、
複数の送信部分と、
前記送信部分にそれぞれ接続される複数の導線部分と、
前記送信部分と前記導線部分とを分離する複数のスリットとを含み、
所定のピッチが、前記導線部分の１つの幅にその隣接するスリットの幅を加えたものとして定められ、第一モアレ比が(前記所定のピッチ/前記ピクセルピッチ)×１００％として定められ、前記第一モアレ比は、
第一公式：２５％＋（５０％×Ｎ）−Ａ％≦前記第一モアレ比≦２５％＋（５０％×Ｎ）＋Ａ％に従い、
前記Ｎは、０または正の整数であり、前記Ａは、０〜２０の範囲内の調整値である、
タッチディスプレイ。
【請求項２】
前記Ａは、５〜１５の範囲内にある、請求項１に記載のタッチディスプレイ。
【請求項３】
前記Ｎは、０〜８の範囲内にある、請求項１に記載のタッチディスプレイ。
【請求項４】
前記導線部分は、第一ゾーンおよび該第一ゾーンに隣接する第二ゾーン内に配設され、前記第一ゾーンは、前記第一モアレ比に対応し、前記第二ゾーン中の前記導線部分は、第二モアレ比を有し、前記第二モアレ比は、
第二公式：２５％＋（５０％×Ｎ＋１）−Ａ％≦第二モアレ比≦２５％＋（５０％×Ｎ＋１）＋Ａ％に従う、
請求項１に記載のタッチディスプレイ。
【請求項５】
前記導線部分の各々は、波形構造であり、前記導線部分の各々は、線形セクションを有し、各線形セクションの縁の２つの端が、第一変曲点と、第二変曲点とを有し、交点が前記横方向における前記変曲点の延長及び前記縦方向における前記変曲点の延長の交差場所に配設され、横方向距離が前記第一変曲点と前記交点との間の距離として定められ、縦方向距離が前記第二変曲点と前記交点との間の距離として定められる、請求項１に記載のタッチディスプレイ。
【請求項６】
配列比率が、第三公式：２５％＋（５０％×Ｎ）−Ｂ％≦前記配列比率≦２５％＋（５０％×Ｎ）＋Ｂ％に従い、前記Ｎは、０または正の整数であり、前記Ｂは、０〜２０の範囲内の調整値であり、前記配列比率は、(前記縦方向距離/前記ピクセルピッチ)×１００％として定められる、請求項５に記載のタッチディスプレイ。
【請求項７】
前記Ｂは、５〜１５の範囲内にあり、或いは、前記Ｎは、０〜８の範囲内にある、請求項６に記載のタッチディスプレイ。
【請求項８】
前記縦方向距離／前記横方向距離の前記値は、０．３３〜３．０５の範囲内にある、請求項５に記載のタッチディスプレイ。
【請求項９】
前記縦方向距離／前記横方向距離の前記値は、０．４〜２．５０または０．４５〜２．１５の範囲内にある、請求項５に記載のタッチディスプレイ。
【請求項１０】
前記ディスプレイ媒体層上に配設されるカラーフィルタ層を更に含み、前記タッチ層は、前記カラーフィルタ層と前記ディスプレイ媒体層との間に配設されるか、或いは、前記カラーフィルター層は、前記タッチ層と前記ディスプレイ媒体層との間に配設される、請求項１に記載のタッチディスプレイ。
【請求項１１】
タッチディスプレイであって、
ディスプレイパネルと、
タッチ層とを含み、
前記ディスプレイパネルは、複数のピクセル領域を有し、該ピクセル領域の１つが、前記横方向におけるピクセルピッチを有し、前記ディスプレイパネルは、
第一基板と、
該第一基板上に配設される第二基板と、
前記第一基板と前記第二基板との間に配設されるディスプレイ媒体層とを含み、
前記タッチ層は、前記第一基板上に配設され、前記タッチ層は、前記タッチ層上に配設される複数のスリットを含み、
該スリットは、第一スリットと、該第一スリットに隣接する第二スリットとを含み、電極が前記第一スリットと前記第二スリットとの間に配設され、
所定のピッチが前記電極の幅に前記第一スリットの幅を加えたものとして定められ、第一モアレ比が(前記所定のピッチ/前記ピクセルピッチ)×１００％として定められ、前記第一モアレ比は、
第一公式:２５％＋（５０％×Ｎ）−Ａ％≦前記第一モアレ比≦２５％＋（５０％×Ｎ）＋Ａ％に従い、
前記Ｎは、０または正の整数であり、前記Ａは、０〜２０の範囲内の調整値である、
タッチディスプレイ。
【請求項１２】
前記電極は、前記送信電極の一部、前記検出電極の一部、前記ダミー電極の一部、または前記接地電極の一部である、請求項１１に記載のタッチディスプレイ。
【請求項１３】
前記Ａは、５〜１５の範囲内にあり、或いは前記Ｎは、０〜８の範囲内にある、請求項１１に記載のタッチディスプレイ。
【請求項１４】
前記電極は、第一ゾーンおよび該第一ゾーンに隣接する第二ゾーン内に分配され、前記第一モアレ比は、前記第一ゾーンに対応し、前記第二ゾーンの前記電極は、第二モアレ比を有し、該第二モアレ比は、
第二公式:２５％＋（５０％×（Ｎ＋１））−Ａ％≦前記第二モアレ比≦２５％＋（５０％×（Ｎ＋１））＋Ａ％に従う、
請求項１１に記載のタッチディスプレイ。
【請求項１５】
前記電極は、波形構造であり、前記電極は、線形セクションを有し、各線形セクションの縁の２つの端は、第一変曲点と、第二変曲点とを有し、交点が前記横方向における前記変曲点の延長及び前記縦方向における前記変曲点の延長の交差場所に配設され、横方向距離が前記第一変曲点と前記交点との間の距離として定められ、縦方向距離が前記第二変曲点と前記交点との間の距離として定められる、請求項１１に記載のタッチディスプレイ。
【請求項１６】
配列比率が、第三公式：２５％＋（５０％×Ｎ）−Ｂ％≦前記配列比率≦２５％＋（５０％×Ｎ）＋Ｂ％に従い、前記Ｎは、０または正の整数であり、前記Ｂは、０〜２０の範囲内の調整値であり、前記配列比率は、 (前記縦方向距離/前記ピクセルピッチ)×１００％として定められる、請求項１５に記載のタッチディスプレイ。
【請求項１７】
前記Ｂは、５〜１５の範囲内にあり、或いは、前記Ｎは、０〜８の範囲内にある、請求項１６に記載のタッチディスプレイ。
【請求項１８】
前記縦方向距離／前記横方向距離の前記値は、０．３３〜３．０５の範囲内にある、請求項１５に記載のタッチディスプレイ。
【請求項１９】
前記縦方向距離／前記横方向距離の前記値は、０．４〜２．５０または０．４５〜２．１５の範囲内にある、請求項１５に記載のタッチディスプレイ。
【請求項２０】
前記ディスプレイ媒体層の上に配設されるカラーフィルタ層を更に含み、前記タッチ層は、前記カラーフィルタ層と前記ディスプレイ媒体層との間に配設されるか、或いは、前記カラーフィルタ層は、前記タッチ層 と前記ディスプレイ媒体層との間に配設される、請求項１１に記載のタッチディスプレイ。
【発明の詳細な説明】
【技術分野】
【０００１】
（関連出願の参照）
この出願は２０１４年５月１６日に出願された米国仮特許出願第６１／９９４，２２７号の利益を主張し、その全文をここに参照として援用する。この出願は２０１４年７月３１日に出願された台湾国特許出願第１０３１２６１４８号の優先権を主張し、その全文をここに参照として援用する。
【０００２】
本発明はディスプレイ装置に関し、特に、タッチディスプレイに関する。
【背景技術】
【０００３】
携帯電話やタブレットコンピュータのような電子装置は、タッチディスプレイを入力インターフェースとして広く利用している。一般的に、タッチディスプレイは、ディスプレイパネルと、ディスプレイパネル上に設置されるタッチ層及びカラーフィルタとを有する。タッチ層は、アレイに配列され且つタッチ層上でタッチ信号の座標を検出するように構成される複数の透明電極を含む。カラーフィルターは、カラーイメージを表示するためにアレイに配列される複数のピクセル（画素）を含む。
【０００４】
従来的な透明電極はピクセルの上にオーバーレイされる。光ビームがカラーフィルタ及び透明電極を通過するときに、従来的な透明電極及びピクセル配列に起因するモアレ効果(moire  effect)によってタッチディスプレイのスクリーン上の一部のイメージ中にモアレパターン(moire  pattern)を生成し得る。従って、タッチディスプレイ上のイメージ品質は低減される。
【発明の概要】
【発明が解決しようとする課題】
【０００５】
上述の問題を解決するために、本開示はモアレ効果を減少させるタッチディスプレイを提供し、タッチディスプレイ上のモアレパターンを減少させることを目的とする。
【課題を解決するための手段】
【０００６】
上述の目的を達成するため、本開示は、ディスプレイパネルとタッチ層とを含むタッチディスプレイを提供する。ディスプレイパネルは、複数のピクセル領域を有し、且つ、各ピクセル領域は、ピクセルピッチを有する。ディスプレイパネルは、第一基板と、第二基板と、ディスプレイ媒体層とを含む。第二基板は、第一基板の上に配置される。ディスプレイ媒体層は、第一基板と第二基板との間に配置される。タッチ層は、第一基板の上に配置される。タッチ層は、複数の送信電極と、複数のスリットとを含む。各送信電極は、複数の送信部分と、複数の導線部分とを有する。導線部分は、それぞれ、送信部分に接続される。送信部分及び導線部分は、スリットによって分離される。
【０００７】
各導線部分とその隣接するスリットは、所定のピッチを有する。第一モアレ比は、(所定のピッチ/ピクセルピッチ)×１００％として定められ、第一モアレ比は、公式：２５％＋（５０％×Ｎ）−Ａ％≦第一モアレ比≦２５％＋（５０％×Ｎ）＋Ａ％に従い、ここで、Ｎは、０または正の整数であり、Ａは、０〜２０の範囲内の調整値である。
【０００８】
本開示は、ディスプレイパネルとタッチ層とを有するタッチディスプレイを提供する。ディスプレイパネルは、複数のピクセル領域を含み、ピクセル領域の１つは、横方向においてピクセルピッチを有する。ディスプレイパネルは、第一基板と、第二基板と、ディスプレイ媒体層とを含む。第二基板は、第一基板の上に配置される。ディスプレイ媒体層は、第一基板と第二基板との間に配設される。タッチ層は、第一基板の上に配設される。タッチ層は、タッチ層の上に配設される複数のスリットを含む。スリットは、第一スリットと、第一スリットに隣接する第二スリットとを含み、電極が第一スリットと第二スリットとの間に配設される。
【０００９】
所定のピッチが、電極の幅に第一スリットの幅を加えたものとして定められ、第一モアレ比は、(所定のピッチ/ピクセルピッチ)×１００％として定められ、第一モアレ比は、公式：２５％＋（５０％×Ｎ）−Ａ％≦第一モアレ比≦２５％＋（５０％×Ｎ）＋Ａ％に従い、ここで、Ｎは、０または正の整数であり、Ａは、０〜２０の範囲内の調整値である。
【発明の効果】
【００１０】
導線部分とピクセル領域は、本開示の公式に従って設計される。タッチディスプレイのモアレ効果は低減され、タッチディスプレイ上のイメージのモアレパターンは減少せせられる。
【００１１】
添付の図面を参照して後続の詳細な記載及び実施例を判読することによって本発明をより十分に理解し得るであろう。
【図面の簡単な説明】
【００１２】
【図１】本開示に従ったタッチディスプレイを示す概略図である。
【００１３】
【図２】本開示に従ったディスプレイパネルのディスプレイゾーンを示す概略図である。
【００１４】
【図３】本開示の第一実施態様に従ったタッチ層を示す概略図である。
【００１５】
【図４】本開示の第一実施態様に従ったタッチ層のモアレゾーンを示す概略図である。
【００１６】
【図５】本開示の第二実施態様に従ったタッチ層のモアレゾーンを示す概略図である。
【００１７】
【図６】本開示の第二実施態様に従ったタッチ層を示す概略図である。
【００１８】
【図７】本開示の第三実施態様に従ったタッチ層のモアレゾーンを示す概略図である。
【００１９】
【図８】本開示に従ったタッチ装置を示す概略図である。
【発明を実施するための形態】
【００２０】
図１は、本開示に従ったタッチディスプレイ１を示す概略図である。タッチディスプレイ１は、ディスプレイパネル１０と、タッチ層５０と、第一偏光層６０（偏光フィルム）と、第二偏光層７０と、保護層８０とを含む。
【００２１】
ディスプレイパネル１０は、第一基板１１と、ディスプレイ媒体層１２と、カラーフィルタ層１３と、第二基板１４と、薄膜トランジスタ層１５とを含む。第一基板１１は、ガラスのような透明材料で作製される。薄膜トランジスタ層１５は、第一基板１１の上に配設される。ディスプレイ媒体層１２は、薄膜トランジスタ層１５の上に配設されるか、或いは第一基板１１と第二基板１４との間に配設される。
【００２２】
ディスプレイ媒体層１２は、液晶ディスプレイ層または有機発光ディスプレイであり得る。その実施形態において、ディスプレイ媒体層１２は、液晶ディスプレイ層である。液晶ディスプレイ層は、薄膜トランジスタ層１５の上に配設される液晶分子１２１を含む。薄膜トランジスタ層１５は、ディスプレイ媒体層１２（液晶層）１２中の液晶分子１２１の配置を制御するように構成される。その実施形態において、液晶分子１２１は、ホモジニアス配向液晶である。一部の実施態様において、液晶分子１２１は、ディスプレイパネル１０の設計に従って、垂直配向型液晶、または、ねじれネマティック液晶である。
【００２３】
カラーフィルタ層１３は、ディスプレイ媒体層１２の上に配設される。カラーフィルタ層１３は、ディスプレイ媒体層１２と第二基板１４との間に配設されるか、或いはディスプレイ媒体層１２とタッチ層５０との間に配設される。カラーフィルター層１３は、カラーフィルタ層１３を通過する光線の色を変換するように構成される。他の実施態様において、カラーフィルター層１３は、第一基板１１の上に配設される。
【００２４】
図２は、本開示に従ったディスプレイパネル１０のディスプレイゾーンを示す概略図である。図２に示すように、ディスプレイゾーンは、複数のピクセル領域１３１を含む。ピクセル領域１３１は、アレイに配列される。各ピクセル領域１３１は、複数のサブピクセル１３２（サブ画素）を含む。画素領域１３１中のサブピクセル１３２は、カラーフィルタ層１３中の異なる色を備えるカラーフィルタに対応する。光ビームが異なるカラーフィルタに対応するサブピクセル１３２を通過した後に、光ビーム線は異なる色を現す。
【００２５】
例えば、ディスプレイパネル１０のピクセル領域１３１は、赤サブピクセル１３２ａと、緑サブピクセル１３２ｂと、青サブピクセル１３２ｃとを含む場合、赤サブピクセル１３２ａは赤カラーフィルタに対応し、緑サブピクセル１３２ｂは緑カラーフィルタに対応し、青サブピクセル１３２ｃは青カラーフィルタに対応する。赤サブピクセル１３２ａ、緑サブピクセル１３２ｂ、および青サブピクセル１３２ｃは、横方向Ｄ１において順に反復的に設置されるか、或いは他の適切な設計によって配置される。
【００２６】
バックライトユニット(図示せず)によって発せられる白色光などの光ビームが赤サブピクセル１３２ａを通過したとき、光ビームは赤色に変わる。白色光が緑サブピクセル１３２ｂを通過したとき、白色光は緑色に変わる。白色光が青サブピクセル１３２ｃを通過したとき、白色光は青色に変わる。一部の実施形態において、ディスプレイパネル１０のピクセル領域１３１は、赤、青、緑、および白のサブピクセル、または、赤、青、緑、および黄のサブピクセルを含む。
【００２７】
第二基板１４は、ガラスのような透明材料で作製される。一部の実施形態において、第二基板１４は、透明なフレキシブル基板である。第二基板１４は、ディスプレイ媒体層１２の上に配設される。第二基板１４は、カラーフィルタ層１３の上に配設される。
【００２８】
タッチ層５０は、タッチ事象に従ったタッチ信号を生成する。例えば、タッチ事象は、保護層８０に触れるタッチ素子Ａ１によって引き起こされる。一部の実施形態において、タッチ素子Ａ１は、指またはタッチペンである。タッチ層５０は、第二基板１４の上に並びに保護層８０の下に配設される。また、タッチ層５０は、第一基板１１の上に配設されるか、或いは第一基板１１と第二基板１４との間に配設される。他の実施態様において、タッチ層５０は、カラーフィルタ層１３とディスプレイ媒体層１２との間に配設される。
【００２９】
第一偏光層６０は第一基板１１の下に配設され、第二偏光層７０はタッチ層５０上に設置される。第一偏光層６０及び第二偏光層７０は、第一偏光層６０及び第二偏光層７０を通過する光ビームを偏光させるように構成される。換言すれば、ディスプレイ媒体層１２、カラーフィルタ層１３、第二基板１４、薄膜トランジスタ層１５、タッチ層５０、および第二偏光層７０は、第一基板１１と保護層８０との間に配設される。
【００３０】
保護層８０は、ガラスのような透明材料で作製されて、タッチディスプレイ１の内側の素子を保護する。他の実施態様において、第二偏光層７０は引っ掻き防止又は汚れ防止機能のような機能を有するので、第二偏光層７０は保護層として機能する。タッチ素子Ａ１が保護層８０、または、第二偏光層７０に触れたとき、タッチ事象が引き起こされる。タッチ層５０はタッチ事象を検出し、タッチ事象に従ってタッチ信号を生成し、よって、タッチの場所が計算され且つ識別される。
【００３１】
図３は、本開示の第一実施態様に従ったタッチ層５０の概略図である。タッチ層５０は、複数の送信電極５１と、複数の検出電極５２と、複数の接地電極５３と、複数のスリット５４とを含む。送信電極５１は、送信部分ＴＸと、導線部分Ｗ１を含む。導線部分Ｗ１は、信号源(図示せず)と送信部分ＴＸとを接続するように構成される。
【００３２】
その実施形態において、接地電極５３は、検出電極５２を接地するように構成される。接地電極５３の電位は、約ゼロである。一部の実施態様において、接地電極５３はタッチ層５０から除外される。
【００３３】
一部の実施態様において、タッチ層５０は、送信電極５１と検出電極５２(または接地電極５３)との間にダミー電極(図示せず)を更に含む。ダミー電極は如何なる電位にも接続されず、ダミー電極の電位は浮遊して固定されない。
【００３４】
送信電極５１、検出電極５２、および接地電極５３は、スリット５４によって分離される。スリット５４は、送信電極５１、検出電極５２、および接地電極５３のような、異なる電位を備える電極ゾーンを通過する。送信電極５１、検出電極５２、接地電極５３、または上述の各電極の一部は、二個の隣接するスリット５４との間に位置する。
【００３５】
送信電極５１の送信部分ＴＸ及び導線部分Ｗ１、検出電極５２、並びに接地電極５３は、インジウムスズ酸化物（ＩＴＯ）またはインジウム亜鉛酸化物（ＩＺＯ）のような、透明導電材料で作製される。送信電極５１の導線部分Ｗ１は、金属材料で作製される。
【００３６】
複数の送信電極５１が、検出電極５２に隣接して、縦方向Ｄ２に延びる。検出電極５２および接地電極５３は、縦方向Ｄ２に延びる。縦方向Ｄ２は、横方向Ｄ１に対して実質的に垂直である。接地電極５３は、二個の検出電極５２の間に配設される。他の実施形態において、接地電極５３は、タッチ層５０から除外される。図３中の二個の隣接する検出電極５２は、１つに統合される。
【００３７】
送信部分ＴＸは、検出電極５２に隣接して、縦方向Ｄ２に沿って実質的に配置される。導線部分Ｗ１は、送信部分ＴＸの一部に接続され、縦方向Ｄ２に沿って延びる。タッチ素子Ａ１が保護層８０、または、第二偏光層７０に触れ、送信部分ＴＸ及び検出電極５２の上に位置されたとき、送信電極５１は駆動信号を生成する。
【００３８】
一部の実施形態において、送信部分ＴＸの面積は、縦方向Ｄ２に沿って同じであるか、徐々に減少するか、或いは徐々に増加する。その実施形態では、図３に示すように、送信部分ＴＸの面積は、縦方向Ｄ２に沿って徐々に減少する。導線部分Ｗ１は互いに分離され、横方向Ｄ１に沿って配列される。
【００３９】
図３に示すように、横方向Ｄ１において、導線部分Ｗ１の数は、タッチ層５０の１つの側からタッチ層５０の反対側に増加する。図３に示すように、例えば、導線部分Ｗ１及びスリット５４は、モアレゾーンＺ１内に交互に配列される。
【００４０】
スリット５４の透過率が、送信電極５１、検出電極５２、および接地電極５３の透過率と異なるので、スリット５４を通過する光ビームの輝度は、送信電極５１、検出電極５２、および接地電極５３を通過する光ビームの輝度と異なる。特に、モアレゾーンＺ１において、導線部分Ｗ１及びスリット５４は高密度に配設される。光ビームがモアレゾーンＺ１を通過するとき、縦方向Ｄ２に沿って延びる交互の輝線及び隠線(alternating  bright  and  shade  lines)が示される。
【００４１】
その上、ピクセル領域１３１がアレイにおいて配列されるので、タッチ層５０とカラーフィルター層１３が重なり合うとき、タッチディスプレイ１中に示されるイメージは、モアレ効果によるモアレパターンを有する。モアレ効果が大きいとき、タッチディスプレイ１によって生成されるイメージ上に示されるモアレパターンの変化は大きい。
【００４２】
その実施形態において、導線部分Ｗ１及びスリット５４は、適切な方法において配置されて、モアレ効果を減少させる。図２に示すように、ピクセル領域１３１は、横方向Ｄ１においてピクセルピッチＰ１を含む。図２に示すように、その実施形態において、赤、青、および緑のサブピクセル１３２は、ピクセル領域１３１中に配設される。他の実施形態において、赤、緑、青、および黄のサブピクセル１３２は、ピクセル領域１３１中に配設される。
【００４３】
図４は、本開示の第一実施態様に従ったタッチ層５０のモアレゾーンＺ１を示している。導線部分Ｗ１は、横方向Ｄ１においてワイヤピッチＰ２を有する。スリット５４は、横方向Ｄ１においてスリットピッチＰ３を有する。所定のピッチＰ４は、導線部分Ｗ１のワイヤピッチＰ２にスリット５４のスリットピッチＰ３と加えたものとして定められる。換言すれば、導線部分Ｗ１の１つとその隣接するスリット５４は、横方向Ｄ１において所定のピッチＰ４を有する。１つの実施態様において、所定のピッチＰ４は、導線部分Ｗ１の１つの幅にその隣接するスリット５４の幅を加えたものとして定められる。
【００４４】
モアレ比は、(所定のピッチＰ４／ピクセルピッチＰ１)×１００％として定められる。モアレ比は、以下の公式（１）に従う:
公式（１）：２５％＋（５０％×Ｎ）−Ａ％≦モアレ比≦２５％＋（５０％×Ｎ）＋Ａ％
【００４５】
公式（１）において、Ｎは、０または正の整数である。他の実施形態において、Ｎは、約０〜８の範囲内にある。Ａは、約０〜２０または０〜１５の範囲内の調整値である。調整値の範囲は、製造工程のパラメータの許容差範囲に従って調整される。
【００４６】
例えば、Ｎ及びＡの両方が０であるとき、モアレ比は２５％である。ピクセルピッチＰ１が１００μｍであるとき、所定のピッチＰ４は２５μｍである。従って、モアレゾーンＺ１内の導線部分Ｗ１が公式（１）のモアレ比に従って設計されるので、モアレゾーンＺ１において、ピクセル領域１３１及び導線部分Ｗ１の相対的なオーバーラップ位置の各々は、横方向Ｄ１において異なり得る。従って、モアレ効果は低減され、モアレパターンが減少させられるか、或いは余り目立たない。その上、例えば、Ｎが１であり、Ａが０であるとき、モアレ比は７５％である。Ｎが１であり、Ａが１であるとき、モアレ比は７４％〜７６％である。
【００４７】
導線部分Ｗ１が、上述のモアレ比の範囲に従って設計され且つ配置されるとき、タッチディスプレイ１のモアレ効果が低減する。
【００４８】
図４に示すように、その実施形態において、スリット５４は波形である。スリット５４は、複数のセグメント５４１及び５４２を含む。セグメント５４１及び５４２は線形構造であり得る。セグメント５４１は互いに実質的に平行であり得るし、セグメント５４２は互いに実質的に平行であり得る。セグメント５４１及び５４２は、実質的に縦方向Ｄ２において交互に配置される。セグメント５４１は、第一延伸方向Ｄ３に沿って延び、セグメント５４２は、第二延伸方向Ｄ４に沿って延びる。
【００４９】
導線部分Ｗ１は、導電層である。導電層は、透明導電材または金属で作製される。導線部分Ｗ１は、二個の隣接するスリット５４の間に配設され、導線部分Ｗ１は、波形構造である。タッチディスプレイ１のモアレ効果は、波形スリット５４と導線部分Ｗ１によって減少させられる。
【００５０】
導線部分Ｗ１は、複数の線形セクションＷ１１と、複数の線形セクションＷ１２とを含む。線形セクションＷ１１及びＷ１２は線形構造であり得る。線形セクションＷ１１は互いに実質的に平行であり、線形セクションＷ１２は、互いに実質的に平行である。線形セクションＷ１１及びＷ１２は、実質的に縦方向Ｄ２において交互に配置される。線形セクションＷ１１は、実質的に第一延伸方向Ｄ３に沿って延び、線形セクションＷ１２は、実質的に第二延伸方向Ｄ４に沿って延びる。第一鋭角が第一延伸方向Ｄ３と縦方向Ｄ２との間にある。第二鋭角が第二延伸方向Ｄ４と縦方向Ｄ２との間にある。第一鋭角は第二鋭角と同じでよいし、異なってもよい。
【００５１】
変曲点Ｗ１３及び変曲点Ｗ１４が、線形セクションＷ１１の縁の２つの端に配設される。線形セクションＷ１２は、変曲点Ｗ１３及び変曲点Ｗ１４に接続される。交点Ｗ１５は、横方向Ｄ１における変曲点Ｗ１３の延長と縦方向Ｄ２における変曲点Ｗ１４の延長の交差場所に配設される。横方向距離Ｌｘは、変曲点Ｗ１３と交点Ｗ１５との間の距離として定められ、縦方向距離Ｌｙは、変曲点Ｗ１４と交点Ｗ１５との間の距離として定められる。
【００５２】
縦方向距離Ｌｙ/横方向距離Ｌｘの値は、０．３３〜３．０５の範囲内にある。他の実施形態において、縦方向距離Ｌｙ/横方向距離Ｌｘの値は、０．４〜２．５０または０．４５〜２．１５の範囲内にある。縦方向距離Ｌｙ/横方向距離Ｌｘの値が上述の幅に従うとき、モアレゾーンＺ１で生じるモアレ効果は減少させられる。
【００５３】
配列比率が、(横方向距離Ｌｘ/ピクセルピッチＰ１)×１００％または(縦方向距離Ｌｙ/ピクセルピッチＰ１)×１００％として定められる。配列比率の値は、以下の公式（２）に従う:
公式（２）：２５％＋（５０％×Ｎ）−Ｂ％≦配列比率≦２５％＋（５０％×Ｎ）＋Ｂ％
【００５４】
公式（２）において、Ｎは、０または正の整数である。一部の実施態様において、Ｎは、０〜８の範囲内にある。Ｂは、０〜２０または０〜１５の範囲内の調整値である。調整値Ｂの幅を製造工程のパラメータの許容差範囲に従って調整し得る。導線部分Ｗ１が、モアレ比の範囲内で設計され且つ配置されるとき、モアレ効果は低減する。
【００５５】
例えば、Ｎが１であり、Ｂが０であるとき、配列比率は約７５％である。Ｎが１であり、Ｂが１であるとき、配列比率は約７４％〜７６％の範囲内にある。例えば、ピクセルピッチＰ１が約１００μｍであるとき、横方向距離Ｌｘまたは縦方向距離Ｌｙは、約７４μｍ〜７６μｍの範囲内にある。
【００５６】
図５は、本開示の第二実施態様に従ったタッチ層５０のモアレゾーンＺ１の概略図である。モアレゾーンＺ１は、第一ゾーンＺ１１と、第一ゾーンＺ１１に隣接する第二ゾーンＺ１２とを更に含む。一部の実施態様において、モアレゾーンＺ１は、少なくとも三つのゾーンを含む。
【００５７】
第一ゾーンＺ１１及び第二ゾーンＺ１２は、横方向Ｄ１に沿って配置される。第一ゾーンＺ１１内の導線部分Ｗ１の配置は、公式（１）に従って設計される。第二ゾーンＺ１２内の導線部分Ｗ１の配置は、以下の公式（３）にしたがって設計される:
公式（３）：２５％＋（５０％×（Ｎ＋１）−Ａ％≦モアレ比≦２５％＋（５０％×（Ｎ＋１））＋Ａ％
【００５８】
公式（３）において、Ｎは、０または正の整数である。一部の実施態様において、Ｎは、０から８の範囲内にある。Ａは、調整値である。調整値Ａの範囲を製造工程のパラメータの許容差範囲に従って調整し得る。Ａは、０〜２０または０〜１５の範囲内にある。第一ゾーンＺ１１に対応するモアレ比は公式（１）に従い、第二ゾーンＺ１２に対応するモアレ比は公式（３）に従う。従って、モアレゾーンＺ１中の所定のピッチは異なり得る。その実施形態において、第一ゾーンＺ１１の所定のピッチＰ４は、第二ゾーンＺ１２の所定のピッチＰ５よりも小さい。第一ゾーンＺ１１及び第二ゾーンＺ１２内の導線部分Ｗ１が公式（３）に従って設計されるとき、モアレゾーンＺ１のモアレ効果は低減する。
【００５９】
図６は、本開示の第二実施態様に従ったタッチ層５０の概略図である。その実施形態では、モアレ効果を更に減少させるために、複数のダミースリットを送信部分ＴＸ、検出電極５２、および接地電極５３中に配設し得る。電極Ｅ２の１つは、二個の隣接するダミースリットＥ１の間に配設される。
【００６０】
ダミースリットＥ１は、縦方向Ｄ２に沿って延びる波形構造である。その実施形態において、ダミースリットＥ１の形状は、スリット５４の形状に対応する。しかしながら、一部の実施形態において、ダミースリットＥ１の形状は、スリット５４の形状に対応しなくてもよい。ダミースリットは、タッチディスプレイ１の設計仕様に従った異なる形状を有し得る。その実施形態において、ダミースリットＥ１の２つの端は、スリット５４に同時に接続されない。換言すれば、ダミースリットＥ１は、同一電位を有する１つの電極ゾーンに分配される。換言すれば、ダミースリットＥ１の周りの電極は同一電位を有する。ダミースリットＥ１の一部の配置は、スリット５４の配置を参照し得る。
【００６１】
電極Ｅ２の１つは、スリット５４とその隣接するダミースリットＥ１との間に配設される。電極Ｅ２は、縦方向Ｄ２に沿って延びる波形構造である。電極Ｅ２の設計は、導線部分Ｗ１を参照し得る。電極Ｅ２は、送信電極５１の導線部分Ｗ１及び送信部分ＴＸの一部であり得る。電極Ｅ２は、検出電極５２、接地電極５３、またはダミー電極の一部であり得る。
【００６２】
図７は、本発明の第三実施態様に従ったタッチ層５０のモアレソーンＺ２を示す概略図である。図７に示すように、ダミースリットＥ１及び電極Ｅ２は、モアレソーンＺ２内にある。各ダミースリット及びその隣接する電極Ｅ２は、横方向Ｄ１においてダミーの所定のピッチＰ６を有する。換言すれば、横方向Ｄ１におけるダミーの所定のピッチＰ６は、ダミースリットの１つの幅にその隣接する電極Ｅ２の幅を加えたものとして定められる。モアレ比は、(ダミーの所定のピッチＰ６/ピクセルピッチＰ１)×１００％として定められる。従って、その実施形態において、電極Ｅ２に対応するダミーの所定のピッチＰ６は、公式（１）に従って定められる所定のピッチＰ４に対応する。換言すれば、モアレ比は、公式（１）に従う。
【００６３】
電極Ｅ２の縦方向距離Ｅｙ/横方向距離Ｅｘの値は、０．３３〜３．０５の範囲内にある。他の実施態様において、縦方向距離Ｅｙ/横方向距離Ｅｘの値は、０．４〜２．５０または０．４５〜２．１５の範囲内にある。縦方向距離Ｅｙ/横方向距離Ｅｘの値が上述の範囲内にあるとき、モアレゾーンＺ１中のモアレ効果は減少する。その上、電極Ｅ２の配列比率は、公式（２）に従う。
【００６４】
結論として、タッチ層及びピクセル領域のパターンは、本開示の公式に従って設計され、タッチディスプレイのモアレ効果は低減し、イメージのモアレパターンは減少させられる。
【００６５】
一部の実施態様では、既述の本開示のタッチディスプレイ１をタッチ装置のような様々な電子装置に適用し得る。図８は、本開示に従ったタッチ装置１００の概略図である。タッチ装置１００は、イメージを表示し且つタッチ機能を提供するように構成されるタッチディスプレイ１を含む。一部の実施態様において、タッチ装置１００は、携帯電話、タブレットコンピュータ、曲線状(curved)携帯電話、曲線状タブレットコンピュータ、または他の適切な装置である。一部の実施形態において、タッチ装置１００は、フレキシブルタッチ装置または他の適切な装置である。
【００６６】
本発明を好適実施態様に関して一例として記載したが、本発明はそれらに限定されないことが理解されるべきである。逆に、（当業者に明かであるような）様々な変形及び類似の構成をカバーすることが意図されている。従って、全てのそのような変形及び類似の構成を包含するよう、最広義の解釈が付属の請求項に与えられるべきである。
【符号の説明】
【００６７】
１        タッチディスプレイ
１０      ディスプレイパネル
１１      第一基板
１２      ディスプレイ媒体層
１２１    液晶分子
１３      カラーフィルター層
１３１    ピクセル領域
１３２    サブピクセル
１３２ａ  赤サブピクセル
１３２ｂ  緑サブピクセル
１３２ｃ  青サブピクセル
１４      第二基板
１５      薄膜トランジスタ層
５０      タッチ層
５１      送信電極
５２      検出電極
５３      接地電極
５４      スリット
５４１    第一セグメント
５４２    セグメント
６０      第一偏光層
７０      第二偏光層
８０      保護層
Ａ        タッチ素子
Ｅ２      ダミースリット
Ｅ２      電極
Ｅｘ      横方向距離
Ｅｙ      縦方向距離
Ｄ１      横方向
Ｄ２      縦方向
Ｄ３      第一延伸方向
Ｄ４      第二延伸方向
Ｌｘ      横方向距離
Ｌｙ      縦方向距離
Ｐ１      ピクセルピッチ
Ｐ２      ワイヤピッチ
Ｐ３      スリットピッチ
Ｐ４      指定ピッチ
Ｐ４      指定ピッチ
Ｐ６      ダミー指定ピッチ
ＴＸ      送信部分
Ｗ１      導線部分
Ｗ１１    第一線形セクション
Ｗ１２    第二線形セクション
Ｗ１３    第一変曲点
Ｗ１４    第二変曲点
Ｗ１５    交点
Ｚ１      モアレゾーン
Ｚ２      モアレゾーン
Ｚ１１    第一ゾーン
Ｚ１２    第二ゾーン
【図１】
2015219922.tif 000003
【図２】
2015219922.tif 000004
【図３】
2015219922.tif 000005
【図４】
2015219922.tif 000006
【図５】
2015219922.tif 000007
【図６】
2015219922.tif 000008
【図７】
2015219922.tif 000009
【図８】
2015219922.tif 000010